(57)【要約】【課題】無線サービスプロバイダ（ＷＳＰ）ネットワーク（ＮＷ）で搬送されるデータトラフィック（ＤＦ）の増大に対処する為の解決策の提供。【解決手段】ＷＳＰＮＷではローカルゲートウェイ（ＬＧ）割り当て能力はコアゲートウェイ（ＣＧ）ではなくＬＧがＡＰＮについてのユーザの要求の為に働くよう選択され、ＬＧとＣＧは各々ローカルＧＧＳＮ（Ｌ−ＧＧＳＮ）とＧＧＳＮであり、Ｌ−ＧＧＳＮはＳＧＳＮと関連付けられてＧＧＳＮの為にローカルでのＤＦのオフロードを、ＧＧＳＮはＷＳＰＮＷのコアＮＷの為のゲートウェイを提供し、ＤＮＳ要素がＳＧＳＮからのＤＮＳ要求に応答してＳＧＳＮ特有のＡＰＮを決定し、ＤＮＳ要素はＳＧＳＮと関連するＳＧＳＮ特有のＡＰＮを使用してＳＧＳＮと関連するＬ−ＧＧＳＮを識別し、ＤＮＳ要求を受信するＳＧＳＮにＬ−ＧＧＳＮの表示を提供し、ＤＮＳ要求と関連するユーザがＬ−ＧＧＳＮを使用することを可能にする。【選択図】図１
2014222908.tif 000002
【特許請求の範囲】
【請求項１】
プロセッサおよび該プロセッサに通信可能に接続されたメモリを備えたドメインネームサーバ（ＤＮＳ）フロントエンド要素を具備する、装置であって、該プロセッサが、
サービング汎用パケット無線サービス（ＧＰＲＳ）サポート・ノード（ＳＧＳＮ）から該ＳＧＳＮのインターネット・プロトコル（ＩＰ）アドレスおよび要求対象のアクセス・ポイント・ネーム（ＡＰＮ）を含むＡＰＮ要求を受信し、
前記ＳＧＳＮの完全修飾ドメイン名（ＦＱＤＮ）を入手するために該ＳＧＳＮの前記ＩＰアドレスを使用してＤＮＳ逆ルックアップを開始し、
ＳＧＳＮ特有のＡＰＮを形成するために前記ＳＧＳＮの前記ＦＱＤＮの少なくとも一部を使用して前記要求対象ＡＰＮを修正し、
前記ＳＧＳＮと関連する前記ＳＧＳＮ特有のＡＰＮに基づいて該ＳＧＳＮと関連するローカル・ゲートウェイＧＰＲＳサポート・ノード（Ｌ−ＧＧＳＮ）を識別するための要求を開始するように構成されている、ＤＮＳフロントエンド要素と、
前記ＳＧＳＮの前記ＩＰアドレスを含む前記ＤＮＳ逆ルックアップを受信し、該ＳＧＳＮの前記ＩＰアドレスに基づいて該ＳＧＳＮの前記ＦＱＤＮを識別し、該ＳＧＳＮの前記ＦＱＤＮを前記ＤＮＳフロントエンド要素に向けて伝えるように構成された、第１のＤＮＳサーバと、
前記ＳＧＳＮと関連する前記ＳＧＳＮ特有のＡＰＮに基づいて前記ＳＧＳＮと関連する前記Ｌ−ＧＧＳＮを識別するための前記要求を受信し、前記ＳＧＳＮと関連する前記ＳＧＳＮ特有のＡＰＮに基づいて前記ＳＧＳＮと関連する前記Ｌ−ＧＧＳＮを識別し、該Ｌ−ＧＧＳＮの識別子を前記ＤＮＳフロントエンド要素に向けて伝えるように構成された、第２のＤＮＳサーバと、
を具備する、装置。
【請求項２】
前記ＤＮＳフロントエンド要素が前記ＡＰＮ要求を、ＤＮＳ要求の一部として受信するように構成された、請求項１に記載の装置。
【請求項３】
前記ＤＮＳフロントエンド要素が、
前記要求対象ＡＰＮに、前記ＳＧＳＮの前記ＦＱＤＮの少なくとも一部を後付けする処理と、
前記要求対象ＡＰＮに、前記ＳＧＳＮの前記ＦＱＤＮの少なくとも一部を前付けする処理と、
前記要求対象ＡＰＮの中に、前記ＳＧＳＮの前記ＦＱＤＮの少なくとも一部を挿入する処理と、
の内の少なくとも一つの処理によって、前記ＳＧＳＮ特有のＡＰＮを形成するために前記要求対象ＡＰＮを修正するように構成された、請求項１に記載の装置。
【請求項４】
前記ＤＮＳフロントエンド要素が、前記ＳＧＳＮ特有のＡＰＮを形成するために、前記ＳＧＳＮのＦＱＤＮ全体を用いて、前記要求対象ＡＰＮを修正するように構成された、請求項１に記載の装置。
【請求項５】
前記ＤＮＳフロントエンド要素が、前記Ｌ−ＧＧＳＮの識別子を前記ＳＧＳＮに向けて伝えるように構成された、請求項１に記載の装置。
【請求項６】
少なくとも一つのプロセッサと少なくとも一つのメモリを用いる方法であって、
ドメインネームサーバ（ＤＮＳ）フロントエンド要素において、サービング汎用パケット無線サービス（ＧＰＲＳ）サポート・ノード（ＳＧＳＮ）から、前記ＳＧＳＮのインターネット・プロトコル（ＩＰ）アドレスおよび要求対象のアクセス・ポイント・ネーム（ＡＰＮ）を含むＡＰＮ要求を受信するステップと、
前記ＳＧＳＮの完全修飾ドメイン名（ＦＱＤＮ）を入手するために、前記ＤＮＳフロントエンド要素から第１のＤＮＳサーバに向けて、前記ＳＧＳＮの前記ＩＰアドレスを使用してＤＮＳ逆ルックアップを開始するステップと、
前記第１のＤＮＳサーバにおいて、前記ＳＧＳＮの前記ＩＰアドレスを含む前記ＤＮＳ逆ルックアップを受信するステップと、
前記第１のＤＮＳサーバにおいて、前記ＳＧＳＮの前記ＩＰアドレスに基づいて該ＳＧＳＮの前記ＦＱＤＮを識別するステップと、
前記第１のＤＮＳサーバから前記ＤＮＳフロントエンド要素に向けて、前記ＳＧＳＮの前記ＦＱＤＮを伝えるステップと、
前記ＤＮＳフロントエンド要素において、ＳＧＳＮ特有のＡＰＮを形成するために前記ＳＧＳＮの前記ＦＱＤＮの少なくとも一部を使用して前記要求対象ＡＰＮを修正するステップと、
前記ＤＮＳフロントエンド要素から第２のＤＮＳサーバに向けて、前記ＳＧＳＮと関連する前記ＳＧＳＮ特有のＡＰＮに基づいて該ＳＧＳＮと関連するローカル・ゲートウェイＧＰＲＳサポート・ノード（Ｌ−ＧＧＳＮ）を識別するための要求を開始するステップと、
前記第２のＤＮＳサーバにおいて、前記ＳＧＳＮと関連する前記ＳＧＳＮ特有のＡＰＮに基づいて前記ＳＧＳＮと関連する前記Ｌ−ＧＧＳＮを識別するための前記要求を受信するステップと、
前記第２のＤＮＳサーバにおいて、前記ＳＧＳＮと関連する前記ＳＧＳＮ特有のＡＰＮに基づいて前記ＳＧＳＮと関連する前記Ｌ−ＧＧＳＮを識別し、
前記第２のＤＮＳサーバから前記ＤＮＳフロントエンド要素に向けて、前記Ｌ−ＧＧＳＮの識別子を伝えるステップと、
を含む、方法。
【請求項７】
前記ＳＧＳＮ特有のＡＰＮを形成するために前記要求対象ＡＰＮを修正するステップが、
前記要求対象ＡＰＮに、前記ＳＧＳＮの前記ＦＱＤＮの少なくとも一部を後付けするステップと、
前記要求対象ＡＰＮに、前記ＳＧＳＮの前記ＦＱＤＮの少なくとも一部を前付けするステップと、
前記要求対象ＡＰＮの中に、前記ＳＧＳＮの前記ＦＱＤＮの少なくとも一部を挿入するステップと、
の内の少なくとも一つのステップを含む、請求項６に記載の方法。
【請求項８】
前記要求対象ＡＰＮが、前記ＳＧＳＮ特有のＡＰＮを形成するために、前記ＳＧＳＮのＦＱＤＮ全体を用いて修正される、請求項６に記載の方法。
【請求項９】
前記Ｌ−ＧＧＳＮの識別子を前記ＳＧＳＮに向けて伝えるステップを更に含む、請求項６に記載の方法。
【請求項１０】
プロセッサによって実行されると、該プロセッサに方法を実行させる命令を格納するコンピュータで読出し可能な記憶媒体であって、該方法が、
ドメインネームサーバ（ＤＮＳ）フロントエンド要素において、サービング汎用パケット無線サービス（ＧＰＲＳ）サポート・ノード（ＳＧＳＮ）から、前記ＳＧＳＮのインターネット・プロトコル（ＩＰ）アドレスおよび要求対象のアクセス・ポイント・ネーム（ＡＰＮ）を含むＡＰＮ要求を受信するステップと、
前記ＳＧＳＮの完全修飾ドメイン名（ＦＱＤＮ）を入手するために、前記ＤＮＳフロントエンド要素から第１のＤＮＳサーバに向けて、前記ＳＧＳＮの前記ＩＰアドレスを使用してＤＮＳ逆ルックアップを開始するステップと、
前記第１のＤＮＳサーバにおいて、前記ＳＧＳＮの前記ＩＰアドレスを含む前記ＤＮＳ逆ルックアップを受信するステップと、
前記第１のＤＮＳサーバにおいて、前記ＳＧＳＮの前記ＩＰアドレスに基づいて該ＳＧＳＮの前記ＦＱＤＮを識別するステップと、
前記第１のＤＮＳサーバから前記ＤＮＳフロントエンド要素に向けて、前記ＳＧＳＮの前記ＦＱＤＮを伝えるステップと、
前記ＤＮＳフロントエンド要素において、ＳＧＳＮ特有のＡＰＮを形成するために前記ＳＧＳＮの前記ＦＱＤＮの少なくとも一部を使用して前記要求対象ＡＰＮを修正するステップと、
前記ＤＮＳフロントエンド要素から第２のＤＮＳサーバに向けて、前記ＳＧＳＮと関連する前記ＳＧＳＮ特有のＡＰＮに基づいて該ＳＧＳＮと関連するローカル・ゲートウェイＧＰＲＳサポート・ノード（Ｌ−ＧＧＳＮ）を識別するための要求を開始するステップと、
前記第２のＤＮＳサーバにおいて、前記ＳＧＳＮと関連する前記ＳＧＳＮ特有のＡＰＮに基づいて前記ＳＧＳＮと関連する前記Ｌ−ＧＧＳＮを識別するための前記要求を受信するステップと、
前記第２のＤＮＳサーバにおいて、前記ＳＧＳＮと関連する前記ＳＧＳＮ特有のＡＰＮに基づいて前記ＳＧＳＮと関連する前記Ｌ−ＧＧＳＮを識別し、
前記第２のＤＮＳサーバから前記ＤＮＳフロントエンド要素に向けて、前記Ｌ−ＧＧＳＮの識別子を伝えるステップと、
を含む、コンピュータで読出し可能な記憶媒体。
【発明の詳細な説明】
【技術分野】
【０００１】
本発明は概して通信ネットワークに関し、さらに特定すると、排他的ではないが、無線通信ネットワークにおけるゲートウェイの割り当てに関する。
【背景技術】
【０００２】
無線サービスプロバイダ（ＷＳＰ）は、ＷＳＰネットワーク経由で搬送されるデータ・トラフィックの爆発的な増大に対処するための解決策を緊急に必要としている。この増大は、少なくとも部分的には、ＷＳＰによって提供されるアプリケーションからではなくインターネット・ベースのアプリケーションから主としてサービスを受けるユーザの装置（例えばスマートフォン、タブレット・コンピュータなど）がますます目立つようになったことによる。既存のＷＳＰネットワークでは、インターネット行きのトラフィックはインターネットのポイント・オブ・プレゼンス（ＰＯＰ）に到達する前に少数のコア・ネットワーク・サイトへ移送される。しかしながら不都合なことに、既存のＷＳＰネットワークの規模は予期されるトラフィック量を簡単に扱うことができない。したがって、ＷＳＰは、増大するトラフィック量に合わせるためにコア・ネットワークの能力を大幅に拡張すること、またはトラフィックがコア・ネットワークに到達する前にローカルでトラフィックをオフロードするための手段を見つけることの間で選択せざるを得ない。
【先行技術文献】
【非特許文献】
【０００３】
【非特許文献１】３ＧＰＰ  ２３．０６０  ＡｎｎｅｘＡのプレリリース８バージョン
【発明の概要】
【発明が解決しようとする課題】
【０００４】
先行技術の様々な欠点は、コア・ゲートウェイではなくローカル・ゲートウェイが、アクセス・ポイント・ネーム（ＡＰＮ）についてユーザ機器（ＵＥ）からの要求を満たすように選択され、それにより、パケットデータ・ネットワーク（ＰＤＮ）に関連するトラフィックのローカルでのオフロードを提供することを可能にするための実施形態によって対処される。
【課題を解決するための手段】
【０００５】
一実施形態では、ローカル・ゲートウェイの選択が、サービング汎用パケット無線サービス（ＧＰＲＳ）サポート・ノード（ＳＧＳＮ）とゲートウェイＧＰＲＳサポート・ノード（ＧＧＳＮ）、およびローカルＧＧＳＮ（Ｌ−ＧＧＳＮ）を含むプレリリース８の３ＧＰＰネットワークに提供される。１つのそのような実施形態では、ＧＧＳＮではなくＬ−ＧＧＳＮの選択がＬ−ＧＧＳＮと関連するＳＧＳＮに特有のＡＰＮを使用して実施される。
【０００６】
一実施形態では、装置は要求に応答してＳＧＳＮと関連するＬ−ＧＧＳＮを識別するように構成されたプロセッサを含み、Ｌ−ＧＧＳＮはＳＧＳＮと関連するＳＧＳＮに特有のＡＰＮを使用して識別される。
【０００７】
一実施形態では、装置はＳＧＳＮの識別子を含むＡＰＮの要求を受信し、このＳＧＳＮの識別子を使用してＳＧＳＮと関連するＳＧＳＮに特有のＡＰＮを決定するように構成されたプロセッサを含む。
【０００８】
本明細書の教示は添付の図面と結び付いた下記の詳細な説明を考慮することによって容易に理解されることが可能である。
【図面の簡単な説明】
【０００９】
【図１】ローカルでのトラフィックのオフロードをサポートするように構成された例示的な無線通信システムを示す図である。
【図２】図１の例示的な通信システムを示しており、ＤＮＳ要素がユーザ機器によって開始されるサービス要求を扱うためにローカル・ゲートウェイを選択することを可能にするためのプロセスを例示する図である。
【図３】ＤＮＳフロントエンドとＤＮＳサーバを含むＤＮＳ要素の実装の一実施形態を示す図である。
【図４】ＤＮＳフロントエンド、第１のＤＮＳサーバ、および第２のＤＮＳサーバを含むＤＮＳ要素の実装の一実施形態を示す図である。
【図５】ローカルでのトラフィックのオフロードをサポートするための方法の一実施形態を示す図である。
【図６】ＳＧＳＮおよびＬ−ＧＧＳＮの様々な配列を使用してローカルでのトラフィックのオフロードをサポートする例示的なサービスプロバイダ・ネットワークを示す図である。
【図７】本明細書に記載の機能を実行することに使用するのに適したコンピュータのハイレベル・ブロック図である。
【発明を実施するための形態】
【００１０】
理解を容易にするために、可能である場合にはこれらの図に共通する同様の要素を指定するのに同様の参照番号を使用した。
【００１１】
ローカル・ゲートウェイ割り当て能力が本明細書に示され記載されている。このローカル・ゲートウェイ割り当て能力は無線サービスプロバイダ・ネットワークのローカル・ゲートウェイにローカルでのトラフィックのオフロードを可能にし、それにより、オフロードされたトラフィックは無線サービスプロバイダ・ネットワークのコア・ネットワーク全体を行き来する必要がなくなり、それによって無線サービスプロバイダが大幅なコア・ネットワークをアップグレードすることを必要とせずにさらに多くのトラフィックをサポートすることを可能にする。ローカル・ゲートウェイ割り当て能力は集中化されたドメインネームサーバ（ＤＮＳ）アーキテクチャを使用し続けながらトラフィックをローカルでオフロードすることを可能にし、それにより、ローカルでのトラフィックのオフロードをサポートするために無線サービスプロバイダがローカルのＤＮＳサーバを配備する必要性をなくする。特定のタイプの無線ネットワークの中でのトラフィックのオフロードをサポートするためにゲートウェイ割り当てを可能にする文脈でローカル・ゲートウェイ割り当て能力が本明細書に主に示され記載されているが、ローカル・ゲートウェイ割り当て能力がいずれかの他の適切なタイプの通信ネットワークの中で利用され得ることを理解されたい。
【００１２】
図１はローカルでのトラフィックのオフロードをサポートするように構成された例示的な無線通信システムを示している。図１に示されるように、例示的な通信システム１００は無線通信システムである。
【００１３】
一実施形態では、例示的な通信システム１００は第３世代パートナーシップ・プロジェクト（３ＧＰＰ）のネットワークである。１つのそのような実施形態では、３ＧＰＰネットワークはプレリリース８の３ＧＰＰネットワークである。
【００１４】
例示的な通信システム１００は無線アクセス・ネットワーク（ＲＡＮ）１０２およびコア・ネットワーク（ＣＮ）１０３を含むサービスプロバイダ・ネットワーク（ＳＰＮ）経由で通信するように構成されたユーザ機器（ＵＥ）１０１を含む。
【００１５】
ＵＥ１０１はＲＡＮ１０２およびＣＮ１０３にアクセスできる携帯電話、スマートフォン、タブレット・コンピュータ、ラップトップ、その他同様のものなど任意の適切なＵＥであってもよい。
【００１６】
ＲＡＮ１０２は、これを経由してＵＥ１０１がＣＮ１０３にアクセスできるアクセス・ネットワークである。ＲＡＮ１０２などアクセス・ネットワークの通常の構成は当業者には理解されよう。例えば、ＲＡＮ１０２は１つまたは複数の基地局（例えばノードＢ）および１つまたは複数の関連する無線ネットワーク制御装置（ＲＮＣ）を含んでもよく、これらは見やすくするために省略される。ＲＡＮ１０２はＵＥ１０１のための（例えばＵＥ１０１が関連するノードＢ経由の）無線インタフェースをサポートする。ＣＮ１０３はサービング汎用パケット無線サービス（ＧＰＲＳ）サポート・ノード（ＳＧＳＮ）１１０、ゲートウェイＧＰＲＳサポート・ノード（ＧＧＳＮ）１２０、ローカルＧＧＳＮ（Ｌ−ＧＧＳＮ）１３０、およびドメインネームサーバ（ＤＮＳ）要素１４０を含む。ＳＧＳＮ１１０はＧＧＳＮ１２０およびＬ−ＧＧＳＮ１３０の両方と通信する。ＤＮＳ要素１４０はＳＧＳＮ１１０およびＧＧＳＮ１２０の両方と通信する。
【００１７】
ＲＡＮ１０２は、ＲＡＮ１０２に関連するＵＥのために通信をサポートする目的でＣＮ１０３と（例えばＲＡＮ１０２のＲＮＣとＣＮ１０３の１つまたは複数の構成要素との間の１つまたは複数の接続を経由して）通信する。例えば、ＲＡＮ１０２のＲＮＣはＲＡＮ１０２に関連するＵＥのためにシグナリング・トラフィック、場合によってはベアラ・トラフィックをサポートする目的でＳＧＳＮ１１０と通信する。ＲＡＮ１０２のＲＮＣはまた、ＲＡＮ１０２に関連するＵＥのためにベアラ・トラフィックをサポートする目的で直接（例えばＳＧＳＮ１１０を経由せずに）ＧＧＳＮ１２０と通信することができる。ＵＥとＣＮ１０３との間の通信を容易にすることに関するＲＡＮ１０２などＲＡＮの様々な構成は当業者には理解されよう。ＳＧＳＮ１１０は、通常ではＳＧＳＮによって提供される１つまたは複数のシグナリング・パケット（および場合によってはベアラ・パケット）の、地理的サービス区域内のＵＥとの間の移送、移動管理機能、論理リンク管理機能など、並びにこれらの様々な組み合わせといった様々な機能を提供するように構成される。ＳＧＳＮ１１０はまた、ゲートウェイ割り当て能力の様々な機能もサポートするように構成される。単一のＳＧＳＮ１１０が図１のＣＮ１０３に示されているが、ＣＮ１０３が通常ではＧＧＳＮ１２０に関連する多数のＳＧＳＮを含むことを理解されたい。
【００１８】
ＧＧＳＮ１２０は通常ではコアＧＧＳＮによって提供される、ＣＮ１０３のための通信をサポートすることを含む様々な機能を提供するように構成される。ＧＧＳＮ１２０はＣＮ１０３と様々な外部のパケット交換ネットワーク（例示するとインターネット１２５１、法人内通信ネットワーク１２５２、およびその他のネットワーク１２５Ｎ）との間で網間接続することを提供する。ＧＧＳＮ１２０はまた、ＣＮ１０３と無線サービスプロバイダの（１つまたは複数の）サービスプロバイダ・ドメイン１２６との間で網間接続することも提供する。ＧＧＳＮ１２０はＵＥによって発信されたパケットを受信し、これらのパケットを正当な外部ネットワークへルーティングし、これは受信したパケットをこの外部ネットワークにとって適切なパケットデータ・プロトコル（ＰＤＰ）フォーマットへと変換することを含んでもよい。同様に、ＧＧＳＮ１２０はＵＥへ宛先指定されたパケットを外部ネットワークから受信してこれらのパケットをＵＥへの配信（例えばＵＥ１０１への配信についてＵＥ１０１からＳＧＳＮ１１０に対して意図されたパケットを配信すること）のための適切なＳＧＳＮに配信し、これは外部ネットワークのためのパケットデータ・プロトコル（ＰＤＰ）フォーマットからパケットを変換することを含んでもよい。ＧＧＳＮ１２０はＣＮ１０３にアンカー・ポイントを提供し、これがＣＮ１０３内でのＵＥの移動を可能にする。ＧＧＳＮ１２０はＩＰアドレスの割り当てと管理、認証などといった１つまたは複数の他の機能を提供してもよい。単一のＧＧＳＮ１２０が図１のＣＮ１０３内に示されているが、ＣＮ１０３が多数のＧＧＳＮを含んでもよいことを理解されたい。
【００１９】
Ｌ−ＧＧＳＮ１３０は通常では（例えばＧＧＳＮ１２０など）コアＧＧＳＮによって提供される様々な機能を提供するように構成されるが、しかしながらＣＮ１０３について（Ｌ−ＧＧＳＮ１３０がないときに通常はＣＮ１０３の全てのＳＧＳＮについて通信をサポートするＧＧＳＮ１２０の場合のように）全体として通信をサポートするのではなく、むしろＬ−ＧＧＳＮ１３０はＣＮ１０３について通信のサブセットのみをサポートする。結果として、Ｌ−ＧＧＳＮ１３０がなければＧＧＳＮ１２０はＣＮ１０３の全てのＳＧＳＮについて通信をサポートしたはずであるが、Ｌ−ＧＧＳＮ１３０があることにより、ＧＧＳＮ１２０がＣＮ１０３の全てのＳＧＳＮの全てのトラフィックについて通信をサポートする必要がなくなる（むしろＧＧＳＮ１２０はＬ−ＧＧＳＮ１３０のように、Ｌ−ＧＧＳＮ１２０  １３０が使用されるときにＣＮ１０３について通信のサブセットのみをサポートする）ということを理解されたい。
【００２０】
Ｌ−ＧＧＳＮ１３０はＣＮ１０３のＳＧＳＮのサブセットに特有のものであり、ここではＳＧＳＮのサブセットはＣＮ１０３のＳＧＳＮのうちの１つまたは複数を含んでもよい（この事例ではＳＧＳＮ１１０として示されるが、言及したように、これはＧＧＳＮ１２０およびＣＮ１０３と関連する多数のＳＧＳＮのうちの１つであり、その他のＳＧＳＮは見やすくするために省略されている）。したがって、本明細書のＳＧＳＮ１１０への参照はＳＧＳＮ１１０と、Ｌ−ＧＧＳＮ１３０と関連するＳＧＳＮのサブセットの中に含まれ得る１つまたは複数の他のＳＧＳＮ（そのような他のＳＧＳＮがあるとき）への参照であることを理解されたい。
【００２１】
Ｌ−ＧＧＳＮ１３０はＣＮ１０３からのローカルアクセスを様々な外部のパケット交換ネットワーク（例示するとインターネット１３５１、１つまたは複数の法人内通信ネットワーク１３５２、および１つまたは複数のその他のネットワーク１３５Ｎ）に提供する。Ｌ−ＧＧＳＮ１３０はＳＧＳＮ１１０と関連するローカルＵＥ（例示するとＵＥ１０１）のためのトラフィックがローカルでサポートされることを可能にし、それにより、ＣＮ１０３経由でＰＤＮにアクセスするためにこのトラフィックがＣＮ１０３全体を行き来する必要がなくなり、それによってＣＮ１０３内のリソースを保存する。したがって、ＧＧＳＮ１２０およびＬ−ＧＧＳＮ１３０経由でアクセス可能な外部のパケット・ネットワークのうちの少なくともいくつかが同じ（例えばインターネット１２５１とインターネット１３５１）であってもよく、ＧＧＳＮ１２０およびＬ−ＧＧＳＮ１３０が（例えば異なるタイプのサービスのため、負荷分散目的のためなど、並びにこれらの様々な組み合わせのために）異なるアクセスのポイントを同じネットワークに提供してもよいことを理解されたい。
【００２２】
ＧＧＳＮ１２０およびＬ−ＧＧＳＮ１３０に関すると、ＧＧＳＮ１２０またはＬ−ＧＧＳＮ１３０を使用するかどうかの判定はＵＥ１０１などのＵＥから受信されるサービス要求に応答（要求されたアクセス・ポイント・ネーム（ＡＰＮ）を識別）して実行される。ＣＮ１０３はＡＰＮの第１のセットについての要求がＧＧＳＮ１２０によって満たされてＡＰＮの第２のセットについての要求がＬ−ＧＧＳＮ１３０によって満たされるように構成される。したがって、ＡＰＮの第１のセットについての要求をＧＧＳＮ１２０に、ＡＰＮの第２のセットについての要求をＬ−ＧＧＳＮ１３０に向けることはＡＰＮの特性のうちの１つまたは複数に基づいてＣＮ１０３の中で調整されてもよい。
【００２３】
ＵＥによって要求されるＡＰＮは通常、ＵＥが通信したいもの、例えばインターネット、法人内通信ネットワーク、サービスプロバイダ・ドメイン（例えば無線アプリケーション・プロトコル（ＷＡＰ）サービスを提供するプライベートＩＰネットワーク、マルチメディア・メッセージングサービス（ＭＭＳ）を提供するプライベートＩＰネットワークなど）などパケットデータ・ネットワーク（ＰＤＮ）を指定する。ＵＥによって要求されるＡＰＮはまた、ＵＥが使用したい（１つまたは複数の）サービスを指定してもよい。ＡＰＮはネットワーク識別子を含み、場合によってはオペレータ識別子を含むこともあり得る。例えば、オペレータ識別子を含まない例示的なＡＰＮは“ｉｎｔｅｒｎｅｔ”であり、オペレータ識別子を含む例示的なＡＰＮは“ｉｎｔｅｒｎｅｔ．ｍｎｃ０１２．ｍｃｃ３４５．ｇｐｒｓ”である。ＡＰＮの通常のフォーマットおよび使用法は当業者には理解されよう。
【００２４】
したがって、ＣＮ１０３のオペレータはＡＰＮの第１のセットについての要求（例えば或るネットワークおよび／またはサービス）がＧＧＳＮ１２０によって満たされ、ＡＰＮの第２のセットについての要求（例えば或るネットワークおよび／またはサービス）がＬ−ＧＧＳＮ１３０によって満たされるようにＣＮ１０３を構成してもよい。例えば、ＣＮ１０３はいくつかのＡＰＮがＧＧＳＮ１２０によって満たされ（例えばサービスプロバイダのサービスプロバイダ・ドメインにアクセスする要求、或る法人内通信ネットワークにアクセスする要求など）、その一方でいくつかのＡＰＮがローカルでＬ−ＧＧＳＮ１３０によって満たされる（例えばインターネットにアクセスする要求、或る法人内通信ネットワークにアクセスする要求など、並びにこれらの様々な組み合わせ）ように構成されてもよい。同様に、例えばＣＮ１０３はいくつかのＡＰＮがＧＧＳＮ１２０によって満たされ（例えばサービスプロバイダのサービスプロバイダ・ドメインにアクセスする要求、（Ｌ−ＧＧＳＮ１３０によって扱われる少数の例外を伴う）インターネットにアクセスする大部分の要求など）、その一方でいくつかのＡＰＮがＬ−ＧＧＳＮ１３０によってローカルで満たされる（例えばインターネット経由でユーチューブにアクセスする要求、或る法人内通信ネットワークにアクセスする要求など、並びにこれらの様々な組み合わせ）ように構成されてもよい。したがって、本明細書に記載されているように、ネットワークおよび／またはサービスの配分、したがってそれらのネットワークおよび／またはサービスに関連するＧＧＳＮ１２０とＬ−ＧＧＳＮ１３０の間のＡＰＮ要求の扱いが任意の適切な方法で調整されてもよい。
【００２５】
ＤＮＳ要素１４０はゲートウェイ割り当て能力の様々な機能を提供するように構成される。ＤＮＳ要素１４０はＵＥがサービス要求を開始するとＵＥによって使用されるべきゲートウェイ（例えばＧＧＳＮ１２０またはＬ−ＧＧＳＮ１３０）を選択するように構成される。ＤＮＳ要素１４０は（１）ＣＮ１０３の中でＧＧＳＮ１２０によって満たされるべく構成される要求されたＡＰＮのためにＧＧＳＮ１２０が選択され、（２）ＣＮ１０３の中でＬ−ＧＧＳＮ１３０によって満たされるべく構成される要求されたＡＰＮのためにＬ−ＧＧＳＮ１３０が選択されるように構成される。
【００２６】
ＤＮＳ要素１４０はＤＮＳ記録を格納し、各々のＤＮＳ記録がＡＰＮについての要求を満たすために使用されるべきゲートウェイ（例えばＧＧＳＮ１２０またはＬ−ＧＧＳＮ１３０）へのＡＰＮのマッピングを含む。ＧＧＳＮ１２０によって満たされることになるＡＰＮの場合、ＡＰＮについてのＤＮＳ記録内のＡＰＮはＵＥ１０１によって要求されることになる要求対象ＡＰＮである。
【００２７】
Ｌ−ＧＧＳＮ１３０によって満たされることになるＡＰＮの場合、ＡＰＮについてのＤＮＳ記録内のＡＰＮは特有のＡＰＮであり、これは（この特有のＡＰＮに関連する）要求対象ＡＰＮがＵＥ１０１によって要求されるとＬ−ＧＧＳＮ１３０が識別されることを可能にするのに適したいずれかの情報に基づいてもよい。一実施形態では、この特有のＡＰＮはこのＡＰＮを供給するために使用されるように意図されるＬ−ＧＧＳＮ１３０に関連するＳＧＳＮ１１０に特有のものであり、したがって本明細書ではＳＧＳＮ特有のＡＰＮと呼ばれることがある。このＳＧＳＮ特有のＡＰＮは任意の適切な方法で、例えばＳＧＳＮ１１０の識別子（例えばＩＰアドレス、完全修飾ドメイン名（ＦＱＤＮ）など）を含むようにＡＰＮを修正すること、特有のＡＰＮの値をＳＧＳＮ１１０に関連付けることなどによって、並びにこれらの様々な組み合わせによってＳＧＳＮ１１０に特有のものにされてもよい。一実施形態では、ＤＮＳ要素１４０によって格納されたＤＮＳ記録のＡＰＮは（１つまたは複数の）ＧＧＳＮ（例示するとＧＧＳＮ１２０）にマッピングされた通常のＡＰＮおよび（１つまたは複数の）Ｌ−ＧＧＳＮ（例示するとＬ−ＧＧＳＮ１３０）にマッピングされたＳＧＳＮ特有のＡＰＮを含む。ＧＧＳＮ１２０への通常のＡＰＮのマッピングはＵＥからのサービス要求に応答してゲートウェイ要求に応えるためにＤＮＳ要素１４０を使用する前にＤＮＳ要素１４０内で構成され、それにより、ＵＥによってサービス要求が開始される度に開始されるゲートウェイ要求の処理の間に（１つまたは複数の）通常のＡＰＮがＤＮＳ要素１４０のＤＮＳ記録の探索に使用されることができる。同様に、ＳＧＳＮ１１０についての１つまたは複数のＳＧＳＮ特有のＡＰＮのＬ−ＧＧＳＮ１３０へのマッピングはＵＥからのサービス要求に応答してゲートウェイ要求に応えるためにＤＮＳ要素１４０を使用する前に構成され、それにより、ＵＥによってサービス要求が開始される度に開始されるゲートウェイ要求の処理の間に（１つまたは複数の）ＳＧＳＮ特有のＡＰＮがＤＮＳ要素１４０のＤＮＳ記録の探索に使用されることができる。
【００２８】
この方法で、ＤＮＳ要素１４０のＤＮＳ記録はＳＧＳＮ特有のＡＰＮのマッピングを、これらのＳＧＳＮ特有のＡＰＮに関連する要求対象ＡＰＮを供給するために使用されるように意図されるＬ−ＧＧＳＮ１３０に供給し、それにより、これらの要求対象ＡＰＮがＵＥによってＳＧＳＮ１１０経由で要求されるとＬ−ＧＧＳＮ１３０が選択されることを可能にする。これはＬ−ＧＧＳＮ１３０に関連するＤＮＳ記録が集中型ＤＮＳサーバ（例示するとＤＮＳ要素１４０）内に集中配置されることを可能にし、それにより、Ｌ−ＧＧＳＮ１３０経由のトラフィックのローカルでのオフロードをサポートするために無線サービスプロバイダがＬ−ＧＧＳＮ１３０のための専用のローカルＤＮＳサーバを配備する必要性をなくする。
【００２９】
本明細書に記載されているように、ＧＧＳＮ１２０とＬ−ＧＧＳＮ１３０との間のトラフィックの配分は例示的な通信システム１００によってサポートされるＡＰＮの様々なタイプに基づくことができるので、サービス要求に応答してＳＧＳＮ特有のＡＰＮを決定するかどうかに関する判定もやはり、少なくとも部分的には、ＤＮＳ要素１４０で受信されるサービス要求内に表示されるＡＰＮに基づいてもよい。例えば、サービス要求に応答してＳＧＳＮ特有のＡＰＮを決定するかどうかを判定する責務を負うネットワーク要素は（１）インターネットを識別するＡＰＮを有するサービス要求についてこのネットワーク要素がＳＧＳＮ特有のＡＰＮを決定し、ＳＧＳＮ特有のＡＰＮを使用してＬ−ＧＧＳＮ１３０を、関連するトラフィックをサポートするべきゲートウェイであると識別するように、および（２）サービスプロバイダのドメインを識別するＡＰＮを有するサービス要求についてこのネットワーク要素がＳＧＳＮ特有のＡＰＮを決定せず、したがってＧＧＳＮ１２０を、関連するトラフィックをサポートするべきゲートウェイであると識別するように構成されてもよい。これが単なる一例に過ぎないこと、およびＳＧＳＮ特有のＡＰＮを決定するかどうかに関する判定が任意の適切な細分性で実行されてもよく、ＧＧＳＮ１２０からＬ−ＧＧＳＮ１３０へとトラフィックをオフロードするために異なるＡＰＮの特性を使用することができる方法に関して記述されてもよいことを理解されたい。一実施形態では、ＤＮＳ要素１４０が、サービス要求に応答してＳＧＳＮ特有のＡＰＮが決定されるかどうか判定するように構成される。一実施形態では、ＳＧＳＮ１１０が、サービス要求に応答してＳＧＳＮ特有のＡＰＮが決定されるかどうか判定するように構成される。そのような実施形態の様々な組み合わせが使用されてもよい。ローカル・ゲートウェイ割り当て能力の動作は図２を参照することによってより良く理解されることが可能であり、この図はＬ−ＧＧＳＮ１３０によって満たされるように構成される特定のＡＰＮを要求するＵＥ１０１からのサービス要求に応答してＧＧＳＮ１２０ではなくむしろＬ−ＧＧＳＮ１３０の選択を可能にするための方法の一実施形態を示している。
【００３０】
図２は図１の例示的な通信システムを示しており、ＤＮＳ要素がユーザ機器によって開始されたサービス要求を扱うためにローカル・ゲートウェイを選択することを可能にするためのプロセスを例示している。
【００３１】
ステップ２１０で、ＵＥ１０１は要求対象ＡＰＮを含むサービス要求を送信する。ＵＥ１０１はサービス要求をＵＥ１０１が関連付けられるＳＧＳＮ１１０に送信する。ローカル・ゲートウェイ割り当て能力はローカル・ゲートウェイの割り当てを可能にすることに向けられるので、要求されるＡＰＮについてローカル・ゲートウェイ（例えばＬ−ＧＧＳＮ１３０）の割り当てを可能にするように構成された処理が本明細書に示され記載されており、その一方で、要求されるＡＰＮについてコア・ゲートウェイ（例えばＧＧＳＮ１２０）の割り当てを可能にするように構成された既存の方法は本明細書に提供される説明から除外される。この実施形態では、要求されるＡＰＮはＬ−ＧＧＳＮ１３０によってローカルで満たされるＡＰＮの要求であると仮定する。
【００３２】
ステップ２２０で、ＳＧＳＮ１１０はＵＥ１０１からのサービス要求に応答してＤＮＳ要求をＤＮＳ要素１４０に送信する。このＤＮＳ要求はサービス要求に応答した、ＵＥ１０１によって使用され得るゲートウェイについての要求である。このＤＮＳ要求は要求されるＡＰＮおよびＳＧＳＮ１１０のＳＧＳＮ識別子（例えばＳＧＳＮ１１０のＩＰアドレス）を含む。このＤＮＳ要求は任意の適切な方法で、例えば当業者に馴染みの有る標準的な手順を使用して、またはいずれかの他の適切な方法で送信されてもよい。例えば、このＤＮＳ要求は本明細書にその全体を参照で組み入れる３ＧＰＰ  ２３．０６０  ＡｎｎｅｘＡのプレリリース８バージョンに規定される手順を使用して送信されてもよい。
【００３３】
ステップ２３０で、ＤＮＳ要素１４０はＳＧＳＮ１１０からのＤＮＳ要求に応答して（１）ＳＧＳＮ１１０に関連するＳＧＳＮ特有のＡＰＮを決定し、（２）このＳＧＳＮ特有のＡＰＮを使用してＬ−ＧＧＳＮ１３０をＵＥ１０１からのサービス要求を供給するゲートウェイであると識別する。
【００３４】
ＤＮＳ要素１４０はＬ−ＧＧＳＮ１３０を、ＳＧＳＮ特有のＡＰＮを使用してＤＮＳルックアップを実行することによってＵＥ１０１からのサービス要求を供給するゲートウェイであると識別する。ＤＮＳ要素１４０は任意の適切な方法でＳＧＳＮ特有のＡＰＮを決定してもよい。
【００３５】
一実施形態では、ＤＮＳ要素１４０は要求されたＡＰＮおよびＳＧＳＮ１１０からＤＮＳ要素１４０に満たされたＤＮＳ要求の中に含まれるＳＧＳＮ１１０に関連したＳＧＳＮ識別子を使用してＳＧＳＮ特有のＡＰＮを作り出す。
【００３６】
一実施形態では、ＤＮＳ要素１４０は、（１）ＤＮＳ要求内の受信した要求対象ＡＰＮにＳＧＳＮ１１０のＳＧＳＮ識別子の少なくとも一部を後付けしてＳＧＳＮ特有のＡＰＮを形成する処理、（２）ＤＮＳ要求内の受信した要求対象ＡＰＮにＳＧＳＮ１１０のＳＧＳＮ識別子の少なくとも一部を前付けしてＳＧＳＮ特有のＡＰＮを形成する処理、（３）ＤＮＳ要求内の受信した要求対象ＡＰＮの中にＳＧＳＮ１１０のＳＧＳＮ識別子の少なくとも一部を挿入してＳＧＳＮ特有のＡＰＮを形成する処理、または（４）ＳＧＳＮ１１０のＳＧＳＮ識別子の少なくとも一部を使用してメモリからＳＧＳＮ特有のＡＰＮを回収する処理のうちの１つを実行することによって、要求されたＡＰＮおよびＳＧＳＮ１１０からＤＮＳ要素１４０に満たされたＤＮＳ要求の中に含まれるＳＧＳＮ１１０のＳＧＳＮ識別子を使用してＳＧＳＮ特有のＡＰＮを作り出す。１つのそのような実施形態では、ＳＧＳＮ１１０のＳＧＳＮ識別子はＳＧＳＮ１１０のＩＰアドレスである。ＳＧＳＮ１１０のＩＰアドレスの代わりにいずれの他の適切な識別子が使用されてもよいことを理解されたい。
【００３７】
１つのそのような実施形態では、ＤＮＳ要素１４０はＤＮＳフロントエンドとＤＮＳサーバとして実現される。例示的な実施形態が図３に示されており、これはＤＮＳフロントエンドとＤＮＳサーバを含むＤＮＳ要素の実現の一実施形態を示している。図３に示されるように、図２のＤＮＳ要素１４０はＤＮＳフロントエンド３１０とＤＮＳサーバ３２０使用して実現される。この実施形態では、ＤＮＳフロントエンド３１０はＳＧＳＮ１１０からＤＮＳ要求を受信し、要求されたＡＰＮおよびＳＧＳＮ識別子（例えば後付け、前付け、挿入、ルックアップなど）を使用してＳＧＳＮ特有のＡＰＮを決定し、ＳＧＳＮ特有のＡＰＮを使用してＤＮＳサーバ３２０に対してＤＮＳルックアップを開始してＬ−ＧＧＳＮ１３０の識別子を回収し、Ｌ−ＧＧＳＮ１３０の識別子を含むＤＮＳ（ルックアップ）結果をＤＮＳサーバ３２０から受信する。その後、ＤＮＳフロントエンド３１０はＤＮＳ応答において（図２のステップ２４０に関して検討したように）Ｌ−ＧＧＳＮ１３０の識別子をＳＧＳＮ１１０に提供する。ＤＮＳフロントエンド３１０とＤＮＳサーバ３２０が１つの物理的な装置の異なった構成要素として、異なった物理装置としてなどとして実現され得ることを理解されたい。
【００３８】
一実施形態では、ＤＮＳ要素１４０は要求されたＡＰＮおよびＳＧＳＮ１１０からＤＮＳ要素１４０に提供されたＤＮＳ要求の中に含まれるＳＧＳＮ１１０のＳＧＳＮ識別子を使用し、ＳＧＳＮ１１０の追加的なＳＧＳＮ識別子を入手するためにＳＧＳＮ１１０のＳＧＳＮ識別子を使用してＤＮＳ逆ルックアップを実行することによって、および（１）ＤＮＳ要求内の受信した要求対象ＡＰＮにＳＧＳＮ１１０の追加的なＳＧＳＮ識別子の少なくとも一部（または追加的なＳＧＳＮ識別子の少なくとも位置特有もしくはＳＧＳＮ特有の部分）を後付けしてＳＧＳＮ特有のＡＰＮを形成する処理、（２）ＤＮＳ要求内の受信した要求対象ＡＰＮにＳＧＳＮ１１０の追加的なＳＧＳＮ識別子の少なくとも一部（または追加的なＳＧＳＮ識別子の少なくとも位置特有もしくはＳＧＳＮ特有の部分）を前付けしてＳＧＳＮ特有のＡＰＮを形成する処理、（３）ＤＮＳ要求内の受信した要求対象ＡＰＮの中にＳＧＳＮ１１０の追加的なＳＧＳＮ識別子の少なくとも一部（または追加的なＳＧＳＮ識別子の少なくとも位置特有もしくはＳＧＳＮ特有の部分）を挿入してＳＧＳＮ特有のＡＰＮを形成する処理、または（４）ＳＧＳＮ１１０の追加的なＳＧＳＮ識別子の少なくとも一部を使用してメモリからＳＧＳＮ特有のＡＰＮを回収する処理のうちの１つを実行することによって、ＳＧＳＮ特有のＡＰＮを作り出す。１つのそのような実施形態では、ＳＧＳＮ識別子はＳＧＳＮ１１０のＩＰアドレスであり、ＳＧＳＮ１１０の追加的なＳＧＳＮ識別子はＳＧＳＮ１１０のＦＱＤＮである。ＳＧＳＮ１１０のＩＰアドレスおよび／またはＳＧＳＮ１１０のＦＱＤＮの代わりにいずれの他の適切な（１つまたは複数の）識別子が使用されてもよいことを理解されたい。
【００３９】
ＤＮＳ要素１４０は１つまたは複数のＤＮＳサーバを使用して実現されてもよく、使用されるＤＮＳサーバの数はＳＧＳＮ特有のＡＰＮを決定するため、および／またはＳＧＳＮ特有のＡＰＮを使用して適切なＬ−ＧＧＳＮを識別するために実行されるメッセージ通信および／または処理のタイプに大きく影響すると見込まれる。ＤＮＳ要素１４０の２つの実例の実施形態の検討が以下に続く（すなわち、ＤＮＳ要素１４０を実現するために単一のＤＮＳサーバが使用される一方の実施形態、およびＤＮＳ要素１４０を実現するために２つのＤＮＳサーバが使用される他方の実施形態）。
【００４０】
一方のそのような実施形態では、ＤＮＳ要素１４０はＤＮＳフロントエンドとＤＮＳサーバとして実現される。この実施形態では、ＤＮＳフロントエンドはＳＧＳＮ１１０からＤＮＳ要求を受信し、ＳＧＳＮ１１０からのＤＮＳ要求に含まれるＳＧＳＮ１１０のＳＧＳＮ識別子を使用してＤＮＳ逆ルックアップをＤＮＳサーバに対して開始し、それによってＳＧＳＮ１１０の追加的なＳＧＳＮ識別子を回収し、要求されたＡＰＮおよび追加的なＳＧＳＮ識別子（例えば後付け、前付け、挿入、ルックアップなど）を使用してＳＧＳＮ特有のＡＰＮを作り出し、ＳＧＳＮ特有のＡＰＮを使用してＤＮＳルックアップをＤＮＳサーバに対して開始してＬ−ＧＧＳＮ１３０の識別子を回収し、Ｌ−ＧＧＳＮ１３０の識別子を含む結果をＤＮＳサーバから受信する。次いで、ＤＮＳフロントエンドはＤＮＳ応答で（図２のステップ２４０に関して検討したように）Ｌ−ＧＧＳＮ１３０の識別子をＳＧＳＮ１１０に提供する。１つのそのような実施形態では、ＤＮＳフロントエンドとＤＮＳサーバなどＤＮＳ要素１４０の実現は図３に関して示され記載されている（ＤＮＳフロントエンド３１０によるＳＧＳＮ特有のＡＰＮの作成に先行して追加的なＤＮＳ逆ルックアップおよびＤＮＳ逆ルックアップ結果を交換するＤＮＳフロントエンド３１０およびＤＮＳサーバ３２０を備えた）実現と同じであるかまたは類似している。そのような実施形態では、ＤＮＳフロントエンドとＤＮＳサーバが１つの物理装置の異なった構成要素として、異なった物理装置としてなどとして実現され得ることを理解されたい。
【００４１】
他方のそのような実施形態では、ＤＮＳ要素１４０はＤＮＳフロントエンド、第１のＤＮＳサーバ、および第２のＤＮＳサーバとして実現される。例示的な実施形態が図４に示されており、この図はＤＮＳフロントエンド、第１のＤＮＳサーバ、および第２のＤＮＳサーバを含むＤＮＳ要素１４０の実現の一実施形態を示している。図４に示されるように、図２のＤＮＳ要素１４０がＤＮＳフロントエンド４１０、第１のＤＮＳサーバ４２０、および第２のＤＮＳサーバ４３０を使用して実現される。この実施形態では、ＤＮＳフロントエンド４１０はＳＧＳＮ１１０からＤＮＳ要求を受信し、ＳＧＳＮ１１０のＳＧＳＮ識別子（例えばＩＰアドレス）を使用してＤＮＳ逆ルックアップを第１のＤＮＳサーバ４２０に対して開始することによってＳＧＳＮ１１０の追加的なＳＧＳＮ識別子（例えばＦＱＤＮ）を回収し、要求されたＡＰＮおよび追加的なＳＧＳＮ識別子（例えば後付け、前付け、挿入、ルックアップなど）を使用してＳＧＳＮ特有のＡＰＮを決定し、ＳＧＳＮ特有のＡＰＮを使用してＤＮＳルックアップを第２のＤＮＳサーバ４３０に対して開始することによってＬ−ＧＧＳＮ１３０の識別子を回収し、Ｌ−ＧＧＳＮ１３０の識別子を含むＤＮＳ（ルックアップ）結果を第２のＤＮＳサーバ４３０から受信する。次いで、ＤＮＳフロントエンド４１０がＤＮＳ応答で（図２のステップ２４０に関して検討したように）Ｌ−ＧＧＳＮ１３０の識別子をＳＧＳＮ１１０に提供する。ＤＮＳフロントエンド４１０、第１のＤＮＳサーバ４２０、および第２のＤＮＳサーバ４３０が１つの物理装置の異なった構成要素として、異なった物理装置としてなどとして実現され得ることを理解されたい。
【００４２】
本明細書ではＤＮＳ要素１４０がＳＧＳＮ特有のＡＰＮを決定する実施形態に関して主に示して記述するが、一実施形態ではＤＮＳ要素１４０がＳＧＳＮ特有のＡＰＮを受信してもよい。ＤＮＳ要素１４０は任意の適切な供給源からＳＧＳＮ特有のＡＰＮを受信してもよい。例えば、ＤＮＳ要素１４０はＳＧＳＮ１１０からＳＧＳＮ特有のＡＰＮをＤＮＳ要求の一部として受信してもよい（例えば、ここではＳＧＳＮ１１０はＳＧＳＮ特有のＡＰＮを作り出し、かつこれをＤＮＳ要素１４０へ送信されるＤＮＳ要求の中に含むように構成される）。例えば、ＤＮＳ要素１４０はＳＧＳＮ特有のＡＰＮのリポジトリから（例えば、ＤＮＳ要求の一部として受信したＳＧＳＮ１１０の識別子を使用してＤＮＳ要素１４０によって開始される問い合わせまたは要求に基づいて）ＳＧＳＮ特有のＡＰＮを受信してもよい。ＤＮＳ要素１４０はいずれの他の適切な供給源からＳＧＳＮ特有のＡＰＮを受信してもよい。
【００４３】
ステップ２４０で、ＤＮＳ要素１４０がＤＮＳ応答をＳＧＳＮ１１０に送信し、ここではＤＮＳ応答がＬ−ＧＧＳＮ１３０をＵＥ１０１からのサービス要求のために働くゲートウェイであると識別する。Ｌ−ＧＧＳＮ１３０は任意の適切な識別子を使用して（例えば、Ｌ−ＧＧＳＮ１３０のＩＰアドレスを使用して、Ｌ−ＧＧＳＮ１３０のＦＱＤＮを使用して、またはいずれかの他の適切な識別子を使用して）識別されてもよい。ＤＮＳ応答はＳＧＳＮ特有のＡＰＮを含んでもよく、または要求されたＡＰＮを含んでもよい（それによってＳＧＳＮ特有のＡＰＮがＳＧＳＮ１１０にとって透過的になる）。
【００４４】
見やすくするために省略したが、Ｌ−ＧＧＳＮ１３０がＵＥ１０１からのサービス要求のために働くゲートウェイであると識別するＤＮＳ応答を受信すると、ＳＧＳＮ１１０はＵＥ１０１からのサービス要求のために働くゲートウェイであるとＬ−ＧＧＳＮ１３０の選択をＵＥ１０１に知らせ、それによってこの後、ＵＥ１０１は要求したサービスをＵＥ１０１が受けることを可能にするためにＬ−ＧＧＳＮ１３０経由のセッション確立を完了することができることを理解されたい。
【００４５】
図２に関すると、ＵＥ１０１からのサービス要求のために働くゲートウェイであるとＬ−ＧＧＳＮ１３０を識別するプロセスは図４の例示的な実施形態に関連する実例の背景の中でさらに良く理解されることが可能である。一つの実例として、ＵＥ１０１のユーザがインターネットにアクセスしたいときにＵＥ１０１が要求対象ＡＰＮ＜Ｉｎｔｅｒｎｅｔ＞を有するサービス要求を開始すると仮定する。この例では、ＵＥ１０１のために働いているＳＧＳＮ１１０がオペレータＡＡＡ（ＦＲ）の中のフランスのパリに位置し、付随するＩＰアドレス２０８．７７．１８８．１６６を有すると仮定する。ＳＧＳＮ１１０は要求対象ＡＰＮ＜Ｉｎｔｅｒｎｅｔ＞およびＩＰアドレス２０８．７７．１８８．１６６を含むＤＮＳ要求をＤＮＳ要素１４０へ送信する。ＤＮＳ要素１４０はＳＧＳＮ１１０のＩＰアドレス２０８．７７．１８８．１６６を使用してＤＮＳ逆ルックアップを実行することによってＳＧＳＮ１１０のＦＱＤＮ（例えば＜ｓｇｓｎ．ｐａｒｉｓ．ＡＡＡ．ｆｒ＞）を入手する。次いで、ＤＮＳ要素１４０はＦＱＤＮの位置特有の部分（すなわち＜ｐａｒｉｓ．ＡＡＡ．ｆｒ＞）を要求対象ＡＰＮ＜ｉｎｔｅｒｎｅｔ＞に後付けすることによって要求対象ＡＰＮ＜ｉｎｔｅｒｎｅｔ＞を修正し、それによってＳＧＳＮ特有のＡＰＮ＜ｉｎｔｅｒｎｅｔ−ｐａｒｉｓ．ＡＡＡ．ｆｒ＞を形成する。次いで、ＤＮＳ要素１４０はＳＧＳＮ特有のＡＰＮ＜ｉｎｔｅｒｎｅｔ−ｐａｒｉｓ．ＡＡＡ．ｆｒ＞を使用してＤＮＳルックアップを実行し、これがＬ−ＧＧＳＮ１３０に関連する識別子（例えば＜ｇｇｓｎ１．ｐａｒｉｓ．ＡＡＡ．ｆｒ＞などＬ−ＧＧＳＮ１３０のＦＱＤＮ）を返す。次いで、ＤＮＳ要素１４０は、ＵＥ１０１によるサービス要求がＧＧＳＮ１２０ではなくむしろＬ−ＧＧＳＮ１３０によって扱われることを可能にするためにＬ−ＧＧＳＮ１３０に関連する識別子をＳＧＳＮ１１０に提供する。この実例に関すると、この実例が単に上述の一実施形態に相当するに過ぎないこと、したがって本明細書に示され記載されているいずれかの他の実施形態に従って（例えば、ＳＧＳＮ特有のＡＰＮを形成するために要求対象ＡＰＮにＦＱＤＮを前付けする、ＳＧＳＮ１１０のＩＰアドレスを使用する、および同様なもの）修正されてもよいことを理解されたい。
【００４６】
図５はローカルでのトラフィックのオフロードをサポートするための方法の一実施形態を示している。図５に示されるように、これらのステップの一部はＤＮＳフロントエンドによって実行され、これらのステップの一部はＤＮＳサーバによって実行される。
【００４７】
ステップ５０２で方法５００が始まる。ステップ５０４で、ＤＮＳフロントエンドはＳＧＳＮから要求対象ＡＰＮおよびＳＧＳＮの識別子を含むＡＰＮ要求を受信する。ステップ５０６で、ＤＮＳフロントエンドは要求対象ＡＰＮおよびＳＧＳＮ識別子を使用してＳＧＳＮ特有のＡＰＮを決定する。ステップ５０８で、ＤＮＳフロントエンドはＳＧＳＮ特有のＡＰＮを使用してＤＮＳルックアップをＤＮＳサーバに対して開始する。ステップ５１０で、ＤＮＳサーバはＤＮＳフロントエンドからＤＮＳルックアップを受信する。ステップ５１２で、ＤＮＳサーバはＳＧＳＮ特有のＡＰＮに基づいて、要求対象ＡＰＮのためのＬ−ＧＧＳＮ（例えばＬ−ＧＧＳＮ識別子）を識別する。ステップ５１４で、ＤＮＳサーバはＤＮＳ（ルックアップ）結果をＤＮＳフロントエンドに伝え、このＤＮＳ（ルックアップ）結果は識別されたＬ−ＧＧＳＮのＬ−ＧＧＳＮ識別子を含む。ステップ５１６で、ＤＮＳフロントエンドは識別されたＬ−ＧＧＳＮのＬ−ＧＧＳＮ識別子を含むＤＮＳ（ルックアップ）結果を受信する。ステップ５１８で、ＤＮＳフロントエンドは識別されたＬ−ＧＧＳＮのＬ−ＧＧＳＮ識別子をＳＧＳＮに向けて伝える。ステップ５２０で方法５００が終了する。
【００４８】
本明細書に記載されているように、ＤＮＳフロントエンドおよびＤＮＳサーバによって実行されるように示され記載されているステップは、任意の適切な方法で組織化されることが可能な任意の適切な数の論理的および／または物理的構成要素を使用して実施されてもよい。こうして、単一の処理として示され記載されているが、方法５００の様々な部分が、同じおよび／または異なった物理装置上の別々のモジュール上で、またはそれらのモジュールによって実行される別々の処理として実行されてもよいことを理解されたい。
【００４９】
本明細書に記載されているように、単一のＳＧＳＮ１１０が単一のＬ−ＧＧＳＮ１３０と関連付けられる実施形態に関して主に示され記載されているが、ＳＧＳＮとＬ−ＧＧＳＮとの間の関連付けは１：１、１：Ｎ、Ｎ：１、およびＮ：Ｎのように様々な組み合わせで配列されてもよい。そのような関連付けを例示する例示的なサービスプロバイダ・ネットワークが図６に関して示され記載されている。
【００５０】
図６はＳＧＳＮとＬ−ＧＧＳＮの様々な関連付けを使用してローカルでのトラフィックのオフロードをサポートする例示的なサービスプロバイダ・ネットワークを示している。図６に示されるように、この例示的なサービスプロバイダ・ネットワーク６００は複数のＳＧＳＮ６１０、ＧＧＳＮ６２０、複数のＬ−ＧＧＳＮ６３０、およびＤＮＳ要素６４０を含み、これらがそれぞれ、図１のＳＧＳＮ１１０、ＧＧＳＮ１２０、Ｌ−ＧＧＳＮ１３０、およびＤＮＳ要素１４０と同様の方法で動作する。
【００５１】
ＳＧＳＮ６１０およびＬ−ＧＧＳＮ６３０は、ＳＧＳＮとＬ−ＧＧＳＮとの間の様々なタイプの関連付けを例示するための方法で配列される。
【００５２】
例えば、ＳＧＳＮとＬ−ＧＧＳＮの関連付けの第１のタイプは１：１の関連付けであり、単一のＳＧＳＮ６１０１が単一のＬ−ＧＧＳＮ６３０１と関連付けられる。この事例では、ＳＧＳＮ６１０１に関連するＳＧＳＮ特有のＡＰＮがＬ−ＧＧＳＮ６３０１を識別するために使用される。
【００５３】
例えば、ＳＧＳＮとＬ−ＧＧＳＮの関連付けの第２のタイプは１：Ｎの関連付けであり、単一のＳＧＳＮ６１０２が複数のＬ−ＧＧＳＮ６３０２１−２Ｎと関連付けられる。この事例では、ＳＧＳＮ６１０２に関連するＳＧＳＮ特有のＡＰＮがＬ−ＧＧＳＮ６３０２１〜６３０２Ｎのうちの１つまたは複数を識別するために使用される。例えば、ＳＧＳＮ６１０２に関連するＳＧＳＮ特有のＡＰＮは要求されたＡＰＮの特定のタイプ（例えばインターネット、法人組織、および同様なもの）を扱うように構成されるＬ−ＧＧＳＮ６３０２１〜６３０２Ｎのうちの１つを識別するために使用されてもよい。例えば、ＳＧＳＮ６１０２に関連するＳＧＳＮ特有のＡＰＮは、Ｌ−ＧＧＳＮ６３０２１〜６３０２Ｎのうちの１つが（例えば負荷分散および／または他の適切な考慮事項に基づいて）ＡＰＮ要求を扱うようにＳＧＳＮ６１０２によって選択されることができるようにＬ−ＧＧＳＮ６３０２１〜６３０２Ｎのうちのいくつか、または全てを識別するために使用されてもよい。
【００５４】
例えば、ＳＧＳＮとＬ−ＧＧＳＮの関連付けの第３のタイプはＮ：１の関連付けであり、複数のＳＧＳＮ６１０３１〜６1０３Ｎが単一のＬ−ＧＧＳＮ６３０３と関連付けられる。この事例では、ＳＧＳＮ６１０３１に関連するＳＧＳＮ特有のＡＰＮがＬ−ＧＧＳＮ６３０３を識別するために使用され、ＳＧＳＮ６１０３２に関連するＳＧＳＮ特有のＡＰＮがＬ−ＧＧＳＮ６３０３を識別するために使用される等々であり、それゆえに、Ｌ−ＧＧＳＮ６３０３はＳＧＳＮ６１０３の各々についてＡＰＮ要求を扱うように構成される。
【００５５】
例えば、ＳＧＳＮとＬ−ＧＧＳＮの関連付けの第４のタイプはＮ：Ｎの関連付けであり、複数のＳＧＳＮ６１０Ｎ１〜６１０ＮＮが複数のＬ−ＧＧＳＮ６３０Ｎ１〜６３０ＮＮと関連付けられる。そのような配列が使用され得る方法は、１：ＮおよびＮ：１配列の説明によって理解されよう。
【００５６】
少なくとも図６に関して上記で与えられた異なる配列の記述から理解されるように、１：Ｎの関連付けは互いに異なるサービス／ＡＰＮが互いに異なるＬ−ＧＧＳＮによって扱われることを可能にする目的に有用であり、Ｎ：１の関連付けは単一のＬ−ＧＧＳＮが多数のＳＧＳＮのためにトラフィックのオフロードを提供することを可能にする目的に有用であり、Ｎ：Ｎの割振りはそのような能力の組み合わせを提供するために有用であると見込まれる。
【００５７】
ＧＧＳＮ６２０とＤＮＳ要素６４０の各々はＳＧＳＮ６１０の各々と通信する。このタイプの配列に関して示され記載されているが、ＤＮＳ要素６４０とＳＧＳＮ６１０との間の通信がいずれの他の適切な方法で実現されてもよいことを理解されたい。
【００５８】
理解されるように、これらのような関連付けのうちのいくつかまたは全てが個々のサービスプロバイダ・ネットワークの中で、および／または互いに異なるサービスプロバイダ・ネットワークを横切って利用されることが可能である。
【００５９】
本明細書ではＬ−ＧＧＳＮを識別するためのＳＧＳＮ特有のＡＰＮの使用に関して主に示され記載されているが、少なくともいくつかの実施形態で、少なくともいくつかのＳＧＳＮ特有のＡＰＮが位置特有のＡＰＮであると考慮されることも理解されたい。例えば、修正されたＡＰＮによって指し示されるＬ−ＧＧＳＮが位置特有のものであってもよく、これはそのＳＧＳＮについて（およびその修正されたＡＰＮについて）１つのＬ−ＧＧＳＮ位置が有ることを意味する。例えば、或るＬ−ＧＧＳＮを指し示す修正されたＡＰＮが位置特有のＡＰＮである。例えば、位置特有のものでないＬ−ＧＧＳＮの一覧表を指し示す修正されたＡＰＮは位置特有のＡＰＮではない。例えば、位置特有のＡＰＮは明白に位置を示してもよく（例えば＜ｉｎｔｅｒｎｅｔ−ｐａｒｉｓ．ＡＡＡ．ｆｒ＞）、または位置を暗示してもよい（例えば＜ｉｎｔｅｒｎｅｔ−１３５．１２３．４５６．１＞）。これらの実例が１つまたは複数の雛形に応用できると見込まれること、さらに、１つまたは複数の他の雛形がそのような情報を（例えば、「位置特有」であるように明白に位置を示すＡＰＮを規定することによって、またはいずれかの他の適切な方法で）組織化するために使用され得ることを理解されたい。
【００６０】
プレリリース８の３ＧＰＰネットワークの背景の中でローカルのゲートウェイ割り当て能力を使用する文脈で本明細書に主に示され記載されているが、ローカルのゲートウェイ割り当て能力が様々な他のタイプの無線ネットワークに使用され得ることを理解されたい。
【００６１】
無線ネットワークの背景の中でローカルのゲートウェイ割り当て能力を使用する文脈で本明細書に主に示され記載されているが、ローカルのゲートウェイ割り当て能力が様々な他のタイプの通信ネットワークに使用され得ることを理解されたい。
【００６２】
図７は本明細書に記載の機能の実行に使用するのに適したコンピュータのハイレベル・ブロック図を示している。図７に示されるように、コンピュータ７００はプロセッサ要素７０２（例えば中央処理装置（ＣＰＵ）および／または他の適切な（１つまたは複数の）プロセッサ）およびメモリ７０４（例えばランダムアクセス・メモリ（ＲＡＭ）、読出し専用メモリ（ＲＯＭ）、および同様なもの）を含む。場合によっては、コンピュータ７００は１つまたは複数の協働するモジュール／処理７０５および様々な入出力装置７０６（例えば（キーボード、キーパッド、マウス、および同様なものなどの）ユーザ入力装置、（ディスプレイ、スピーカ、および同様なものなどの）ユーザ出力装置、入力ポート、出力ポート、受信機、送信機、および記憶装置（例えばテープ・ドライブ、フロッピー・ドライブ、ハードディスク・ドライブ、コンパクトディスク・ドライブ、および同様なもの））を含むことができる。
【００６３】
本明細書に示され記載されている機能が汎用コンピュータ上で実行するためのソフトウェアで実現され、それによって専用コンピュータを実現してもよく、および／またはハードウェア、１つまたは複数の特定用途向け集積回路（ＡＳＩＣ）、および／またはいずれかの他のハードウェア等価物上で実施され得ることを理解されたい。一実施形態では、協働する処理７０５はメモリ７０４の中にロードされ、本明細書で検討された機能を実現するためにプロセッサ７０２によって実行されてもよい。したがって、（関連するデータ構造を含む）協働する処理７０５はコンピュータ読出し可能記憶媒体、例えばＲＡＭメモリ、磁気もしくは光学ドライブまたはディスケット、および同様なものに格納されてもよい。
【００６４】
本明細書にソフトウェアとして検討されたステップのいくつかは、例えば様々な方法のステップを実行するためにプロセッサと協働する回路としてハードウェアの中に実現されてもよいことが企図されている。本明細書に記載の機能／要素のいくつかの部分は、コンピュータによって処理されると本明細書に記載の方法および／または技術が呼び出されるように、そうでなければ提供されるようにコンピュータ命令がコンピュータの動作を適合させるコンピュータ・プログラム製品として実現されてもよい。本発明の方法を呼び出すための命令は固定式または取り外し可能な媒体に格納され、ブロードキャストまたは他の信号担持媒体のデータ・ストリームを介して送信され、かつ／または命令に従って動作するコンピュータ装置の中のメモリに格納されてもよい。
【００６５】
様々な実施形態の態様は特許請求の範囲に指定される。様々な実施形態のそれらおよび他の態様は下記の番号を付した各項に指定される。
【００６６】
１．
受信する要求に応答してサービング汎用パケット無線サービス（ＧＰＲＳ）サポート・ノード（ＳＧＳＮ）と関連するローカル・ゲートウェイＧＰＲＳサポート・ノード（Ｌ−ＧＧＳＮ）を識別するように構成されたプロセッサを含み、前記Ｌ−ＧＧＳＮが前記ＳＧＳＮと関連するＳＧＳＮ特有のアクセス・ポイント・ネーム（ＡＰＮ）を使用して識別される装置。
２．
前記ＳＧＳＮ特有のＡＰＮが、
前記ＳＧＳＮのインターネット・プロトコル（ＩＰ）アドレスの少なくとも一部と、
前記ＳＧＳＮの完全修飾ドメイン名（ＦＱＤＮ）の少なくとも一部のうちの少なくとも一方を使用して前記ＳＧＳＮを識別する、第１項に記載の装置。
３．
前記プロセッサがドメインネームサーバ（ＤＮＳ）要素の部分を形成する、第１項に記載の装置。
４．
前記ＤＮＳ要素がＤＮＳフロントエンドおよび少なくとも１つのＤＮＳサーバを含む、第３項に記載の装置。
５．
前記プロセッサが前記ＳＧＳＮ特有のＡＰＮを決定するように構成される、第１項に記載の装置。
６．
前記ＳＧＳＮ特有のＡＰＮを決定するステップが、
前記ＳＧＳＮの識別子を含む要求対象ＡＰＮを受信するステップと、
前記ＳＧＳＮの前記識別子の少なくとも一部を使用して前記ＳＧＳＮ特有のＡＰＮを決定するステップを含む、第５項に記載の装置。
７．
前記ＳＧＳＮの前記識別子の少なくとも一部を使用して前記ＳＧＳＮ特有のＡＰＮを決定するステップが、
前記受信したＡＰＮを、前記ＳＧＳＮ特有のＡＰＮを形成するために前記ＳＧＳＮの前記識別子の少なくとも一部を使用して修正するステップを含む、第６項に記載の装置。
８．
前記受信したＡＰＮを、前記ＳＧＳＮ特有のＡＰＮを形成するために前記ＳＧＳＮの前記識別子の少なくとも一部を使用して修正するステップが、
前記ＳＧＳＮの前記識別子の少なくとも一部を前記受信したＡＰＮに後付けするステップと、
前記ＳＧＳＮの前記識別子の少なくとも一部を前記受信したＡＰＮに前付けするステップと、
前記ＳＧＳＮの前記識別子の少なくとも一部を前記受信したＡＰＮの中に挿入するステップのうちの１つを含む、第７項に記載の装置。
９．
前記ＳＧＳＮの前記識別子の少なくとも一部を使用して前記ＳＧＳＮ特有のＡＰＮを決定するステップが、
前記ＳＧＳＮの前記識別子の少なくとも一部を使用して前記ＳＧＳＮ特有のＡＰＮを回収するステップを含む、第６項に記載の装置。
１０．
前記ＳＧＳＮ特有のＡＰＮを決定するステップが、
前記ＳＧＳＮからＡＰＮ要求を受信するステップであって、前記ＡＰＮ要求が前記ＳＧＳＮのＩＰアドレスおよび要求対象ＡＰＮを含むステップと、
前記要求されたＡＰＮを、前記ＳＧＳＮ特有のＡＰＮを形成するために前記ＳＧＳＮの前記ＩＰアドレスの少なくとも一部を使用して修正するステップを含む、第５項に記載の装置。
１１．
前記ＳＧＳＮ特有のＡＰＮを決定するステップが、
前記ＳＧＳＮからＡＰＮ要求を受信するステップであって、前記ＡＰＮ要求が前記ＳＧＳＮのＩＰアドレスおよび要求対象ＡＰＮを含むステップと、
前記ＳＧＳＮの完全修飾ドメイン名（ＦＱＤＮ）を入手するために前記ＳＧＳＮの前記ＩＰアドレスを使用してＤＮＳ逆ルックアップを開始するステップと、
前記要求されたＡＰＮを、前記ＳＧＳＮ特有のＡＰＮを形成するために前記ＳＧＳＮの前記ＦＱＤＮの少なくとも一部を使用して修正するステップを含む、第５項に記載の装置。
１２．
受信する要求に応答してサービング汎用パケット無線サービス（ＧＰＲＳ）サポート・ノード（ＳＧＳＮ）と関連するローカル・ゲートウェイＧＰＲＳサポート・ノード（Ｌ−ＧＧＳＮ）を識別するステップを含む方法であって、前記Ｌ−ＧＧＳＮが前記ＳＧＳＮと関連するＳＧＳＮ特有のアクセス・ポイント・ネーム（ＡＰＮ）を使用して識別される方法。
１３．
サービング汎用パケット無線サービス（ＧＰＲＳ）サポート・ノード（ＳＧＳＮ）の識別子を含むアクセス・ポイント・ネーム（ＡＰＮ）要求を受信するように、
かつ前記ＳＧＳＮの前記識別子の少なくとも一部を使用して前記ＳＧＳＮと関連するＳＧＳＮ特有のＡＰＮを決定するように構成されたプロセッサを含む装置。
１４．
前記ＡＰＮ要求が要求対象ＡＰＮを含み、前記ＳＧＳＮの前記識別子が前記ＳＧＳＮの前記ＩＰアドレスであり、前記ＳＧＳＮ特有のＡＰＮを決定するステップが、
前記ＳＧＳＮ特有のＡＰＮを形成するために前記ＳＧＳＮの前記ＩＰアドレスの少なくとも一部を前記要求対象ＡＰＮに前付けするステップと、
前記ＳＧＳＮ特有のＡＰＮを形成するために前記ＳＧＳＮの前記ＩＰアドレスの少なくとも一部を前記要求対象ＡＰＮに後付けするステップと、
前記ＳＧＳＮ特有のＡＰＮを形成するために前記ＳＧＳＮの前記ＩＰアドレスの少なくとも一部を前記要求対象ＡＰＮの中に挿入するステップと、
前記ＳＧＳＮ特有のＡＰＮを回収するために前記ＳＧＳＮの前記ＩＰアドレスの少なくとも一部を使用してルックアップを実行し、前記要求対象ＡＰＮを前記ＳＧＳＮ特有のＡＰＮで置き換えるステップのうちの１つを含む、第１３項に記載の装置。
１５．
前記ＡＰＮ要求が要求対象ＡＰＮを含み、前記ＳＧＳＮの前記識別子が前記ＳＧＳＮの前記ＩＰアドレスであり、前記ＳＧＳＮ特有のＡＰＮを決定するステップが、
前記ＡＰＮ要求に応答し、前記ＳＧＳＮの前記ＩＰアドレスを使用してＤＮＳ逆ルックアップを開始するステップと、
前記ＳＧＳＮの前記ＩＰアドレスを使用して実行されたＤＮＳ逆ルックアップに応答して前記ＳＧＳＮの完全修飾ドメイン名（ＦＱＤＮ）を受信するステップと、
前記ＳＧＳＮの前記ＦＱＤＮの少なくとも一部を使用して前記ＳＧＳＮ特有のＡＰＮを決定するステップを含む、第１３項に記載の装置。
１６．
前記ＳＧＳＮの前記ＦＱＤＮの少なくとも一部を使用して前記ＳＧＳＮ特有のＡＰＮを決定するステップが、
前記ＳＧＳＮ特有のＡＰＮを形成するために前記ＳＧＳＮの前記ＦＱＤＮの少なくとも一部を前記要求対象ＡＰＮに前付けするステップと、
前記ＳＧＳＮ特有のＡＰＮを形成するために前記ＳＧＳＮの前記ＦＱＤＮの少なくとも一部を前記要求対象ＡＰＮに後付けするステップと、
前記ＳＧＳＮ特有のＡＰＮを形成するために前記ＳＧＳＮの前記ＦＱＤＮの少なくとも一部を前記要求対象ＡＰＮの中に挿入するステップと、
前記ＳＧＳＮ特有のＡＰＮを回収するために前記ＳＧＳＮの前記ＦＱＤＮの少なくとも一部を使用してルックアップを実行し、前記要求対象ＡＰＮを前記ＳＧＳＮ特有のＡＰＮで置き換えるステップのうちの１つを含む、第１５項に記載の装置。
１７．
前記ＡＰＮ要求が要求対象ＡＰＮを含み、前記ＳＧＳＮの前記識別子が前記ＳＧＳＮの前記ＦＱＤＮであり、前記ＳＧＳＮの前記ＦＱＤＮを使用して前記ＳＧＳＮ特有のＡＰＮを決定するステップが、
前記ＳＧＳＮ特有のＡＰＮを形成するために前記ＳＧＳＮの前記ＦＱＤＮの少なくとも一部を前記要求対象ＡＰＮに前付けするステップと、
前記ＳＧＳＮ特有のＡＰＮを形成するために前記ＳＧＳＮの前記ＦＱＤＮの少なくとも一部を前記要求対象ＡＰＮに後付けするステップと、
前記ＳＧＳＮ特有のＡＰＮを形成するために前記ＳＧＳＮの前記ＦＱＤＮの少なくとも一部を前記要求対象ＡＰＮの中に挿入するステップと、
前記ＳＧＳＮ特有のＡＰＮを回収するために前記ＳＧＳＮの前記ＦＱＤＮの少なくとも一部を使用してルックアップを実行し、前記要求対象ＡＰＮを前記ＳＧＳＮ特有のＡＰＮで置き換えるステップのうちの１つを含む、第１３項に記載の装置。
１８．
前記プロセッサが前記ＳＧＳＮ特有のＡＰＮを使用してＤＮＳルックアップを開始するように構成される、第１３項に記載の装置。
１９．
前記プロセッサが、
前記ＳＧＳＮ特有のＡＰＮを使用して実行される前記ＤＮＳルックアップに応答して前記ＳＧＳＮと関連するローカルＧＧＳＮ（Ｌ−ＧＧＳＮ）の識別子を受信するように、
かつ前記Ｌ−ＧＧＳＮの前記識別子を前記ＳＧＳＮに向けて伝えるように構成される、第１８項に記載の装置。
２０．
サービング汎用パケット無線サービス（ＧＰＲＳ）サポート・ノード（ＳＧＳＮ）の識別子を含むアクセス・ポイント・ネーム（ＡＰＮ）要求をドメインネームサーバ（ＤＮＳ）要素に受信するステップと、
前記ＳＧＳＮの前記識別子の少なくとも一部を使用して前記ＳＧＳＮと関連するＳＧＳＮ特有のＡＰＮを決定するステップを含む方法。
【００６７】
本発明の教示を組み入れる様々な実施形態が本明細書に詳しく示され記載されていてきたが、当業者はこれらの教示をなおも組み入れる多くの他の変更を加えた実施形態を容易に考案することができる。
【図１】
2014222908.tif 000003
【図２】
2014222908.tif 000004
【図３】
2014222908.tif 000005
【図４】
2014222908.tif 000006
【図５】
2014222908.tif 000007
【図６】
2014222908.tif 000008
【図７】
2014222908.tif 000009